(57)【要約】【課題】排気面に対する給気面の広さの割合は、有機溶剤濃度の低減上で制約されるのを前提に、送風エネルギを節約するために、所要の範囲内で気流速度の分布を乱すことなく、給気面の広さを調整可能にする塗装ブースの給気口調整構造を提供する。【解決手段】天井側の空気の給気口８から排気面となる簾の子床３に向けて送風した状態で塗装を行わせる塗装ブース１において、給気口８の両側に、ブースコーナ部を構成するように、平坦面状のプレート１１，１２による気流遮蔽体１０がそれぞれ斜めに配置される。その上側端部及び下側端部が、天井側及びブース壁側にそれぞれ側方及び上下方向へ位置調整可能に支持されると共に、給気口８の側端部となる上側端部及び下側端部間の幅が、プレート１１，１２の重なりにより調整可能である。【選択図】          図１
2004167366.tif 000002
【特許請求の範囲】
【請求項１】
天井側の空気の給気口から排気面となる床に向けて送風した状態で塗装を行わせる塗装ブースにおいて、
給気口の両側に、ブースコーナ部を構成するように、平坦面状の気流遮蔽体がそれぞれ斜めに配置され、
この遮蔽体の上側端部及び下側端部が、天井側及びブース壁側にそれぞれ側方及び上下方向へ位置調整可能に支持されると共に、前記給気口の側端部となる前記上側端部及び前記下側端部間の幅が調整可能であることを特徴とする塗装ブースの給気口調整構造。
【請求項２】
塗装ブースの前後壁に、搬送されてくる塗装対象物の出入口が設けられると共に、搬送方向に対して両側に配置された気流遮蔽体の下方に、前記塗装対象物を挟んで塗装装置がそれぞれ配置されることを特徴とする請求項１記載の塗装ブースの給気口調整構造。
【請求項３】
気流遮蔽体が、互いの重なり量によって上側端部及び下側端部間の幅を調整可能にする２枚のプレートで構成されると共に、前記上側端部が、天井側に間隔を置いて架設されたフレームに側方へ位置調整可能に取付けられたヒンジにより支持され、前記下側端部が、ブース壁に沿って位置調整可能に設けられたヒンジにより支持されていることを特徴とする請求項１又は請求項２記載の塗装ブースの給気口調整構造。
【請求項４】
気流遮蔽体が、巻取り器から引出されるシートで構成されることを特徴とする請求項１又は請求項２記載の塗装ブースの気流調整構造。
【発明の詳細な説明】
【０００１】
【発明の属する技術分野】
本発明は、天井側の空気の給気口から排気面となる床に向けて送風した状態で塗装を行わせる塗装ブースに関するものである。
【０００２】
【従来の技術】
文献１又は文献２によれば、塗装品質の確保のために、塗装ブースの天井に排気面に対応した広さにわたりフィルタ又は整流板を配置してブース内全域の下向きの気流速度を均一化させる塗装ブースが提案されている。また、文献３によれば、同様に塗装品質の確保のために、周辺の流速を塗装対象物に向かう流速よりも大きくするように、天井のフィルタに風向変更部を設けた塗装ブースも提案されている。
【０００３】
【特許文献１】
特開平０７−１４４１６２号公報
【特許文献２】
特開平０７−１７８３６０号公報
【特許文献３】
特開２００２−１５９８９７号公報
【０００４】
【発明が解決しようとする課題】
これらの塗装ブースはいずれもその内部に所望の流速分布を形成することを前提にしたもので、塗装対象物及び塗装装置の外形構造が変更される場合に、実際に必要な所望の流速分布範囲も対応して変化する点は意識されていない。
【０００５】
本発明は、このような点に鑑みて、排気面に対する給気面の広さの割合は、有機溶剤濃度の低減上で制約されるのを前提に、送風エネルギを節約するために、所要の範囲内で気流速度の分布を乱すことなく、給気面の広さを調整可能にする塗装ブースの給気口調整構造を提供することを目的とする。
【０００６】
【課題を解決するための手段】
本発明は、この目的を達成するために、請求項１により、天井側の空気の給気口から排気面となる床に向けて送風した状態で塗装を行わせる塗装ブースにおいて、給気口の両側に、ブースコーナ部を構成するように、平坦面状の気流遮蔽体がそれぞれ斜めに配置され、この遮蔽体の上側端部及び下側端部が、天井側及びブース壁側にそれぞれ側方及び上下方向へ位置調整可能に支持されると共に、給気口の側端部となる上側端部及び下側端部間の幅が調整可能であることを特徴とする。
【０００７】
遮蔽体の上側端部は、塗装対象物もしくは塗装装置の外形構造に対応する範囲内で所望の流速分布が得られ、かつ給気面をなるべく小さくするように、側方へ位置調整して給気口の幅が設定される。その際、遮蔽体の上側端部及び下側端部間の幅も同時に調整される。さらに、流速分布の微調整或いは塗装装置との干渉の回避のために、必要により、遮蔽体の下側端部も位置調整して傾斜角を可変する。
【０００８】
【発明の実施の形態】
図１及び図２を基に本発明の実施の形態の一例による塗装ブースの給気口調整構造を説明する。塗装ブース１は車両塗装用であり、塗装ブースの前後壁に、搬送路２で搬送されてくる塗装対象物である車両９の出入口が設けられると共に、天井側の空気の給気口８から送風され、排気面となる簾の子床３及び下方へ離間した排気ダクト４から排気される。搬送路２を挟んだ横方向両側には、車両の上面及び側面上方領域の塗装用の塗装ロボット５及び側面下方領域の塗装用の塗装装置６が配置されている
【０００９】
給気口８の両側には、平坦面状の気流遮蔽体１０がそれぞれ斜めに配置されて、ブースコーナ部を構成している。この気流遮蔽体は、互いの重なり量によって上側端部及び下側端部間の幅、即ち斜め方向の幅を調整可能にする２枚のプレート１１，１２で構成されると共に、これらの四方にはヒンジ１３、２３が取付けられている。プレート１１には長溝状のボルト挿通溝１４が形成され、プレート１２からボルト１５が挿入されている。
【００１０】
塗装ブース１の両側にはフレーム１９が架設され、その天井側に前後方向に送風用に間隔を置いて配置された水平方向のフレーム部分１９ｂには、側方へ延びる長溝状ボルト挿通溝１９ｃが形成されている。垂直方向のフレーム部分１９ａには、上下方向へ延びる長溝状のボルト挿通溝１９ｄが形成されている。これらのボルト挿通溝１９ｃ，１９ｄに、ボルト１６を挿通させてヒンジ１３、２３がナット１６ａでフレーム部分１９ａ，１９ｂに固定される。
【００１１】
これにより、気流遮蔽体１０は塗装ロボット５及び塗装装置６の上方位置を占めている。一方、ブース１の前後方向の幅は、車両の前後幅が車種により横幅よりも大きく変動するために、余裕を持って大型の車両に対応した幅に設定されており、気流遮蔽体は敢えて配置されていない。
【００１２】
このように構成された塗装ブースの給気口調整構造は、図１に示す状態で、給気面となる給気口８の横幅は例えば４ｍ、その両側の気流遮蔽体１０の平面視での横幅はそれぞれ１ｍであり、排気面即ち、簾の子床３の横幅６ｍに対して有機溶剤の規制上の条件である割合値２／３以上の最低限界に設定されている。また、気流遮蔽体１０の傾斜角θは３０°に設定されている。因みに、この角度を小さくすると急激な拡散でコーナ部分に乱流を生じ易くなり、同様に車両９を囲む流速分布を乱す傾向が生じる。この角度を大きくするのは、塗装ロボット５との干渉の点で制限される。
【００１３】
車両９が搬入されて塗装装置５、６により塗装される状態で、天井側の送風ダクトから圧送される空気は給気口８から下方へ向けて送風されると共に、給気口８を通過した直後に側方へも拡散し、その際塗装ロボット５の内側に沿って下向きの所定流速の気流が生じるように、気流がプレート１１，１２で緩やかに偏向される。このように、給気面が、有機溶剤予防の限界内で所望の流速分布を確保できる最小横幅に設定されることにより、送風エネルギは排気面と略同程度の横幅に設定した場合に較べて、塗装ブース１の容積減少により数十％程度削減されることが確認されている。
【００１４】
塗装ロボット５の交換で外形構造が大きくなる等により、車両周囲の気流分布が変動する可能性が生じた場合には、塗装ロボットの外形構造及びそのアームの動作範囲並びに車両の外形構造等を入力条件として、気流分布のシュミレーションソフトにより、車両９を囲む必要範囲に、下向きの所望の流速分布を確保するように給気口８の横幅及び気流遮蔽体１０の傾斜角θを解析する。
【００１５】
その解析結果に応じて、上端側のヒンジ１３のナット１６ａを緩めて、ボルト１６をボルト挿通溝１９ｃに沿って横方向外側へ移動させて締付けると共に、重なったプレート１１、１２の幅もナット１５ａを緩めて、ボルト１５をボルト挿通溝１４に沿って移動させて締付ける。傾斜角θも調整すべき場合は、ヒンジ２３の上下位置を、同様にボルト１５をボルト挿通溝１９ｄに沿って位置調整して固定する。給気口８の側端部分では、フレーム部分１９ｂ間の隙間から送風される。
【００１６】
調整後の気流分布は試験で確認することができる。また、シュミレーションソフトに依る解析に依存することなく、給気口８の幅を許容範囲で最小にするように設定し、必要により傾斜角θも設定して必要範囲で下向きの所望の流速分布が確保されるように試験で確認しつつ調整することもできる。
【００１７】
尚、別の実施の形態として、気流遮蔽体をシートの巻取り器で構成し、巻取り器及びその引出されたシート先端を、天井側及びブース壁側のいずれかにそれぞれ側方及び上下方向へ位置調整可能に支持させることもできる。例えば、巻取り器はスライド位置を調整可能に取付け、シート先端は複数段のフックに選択的に係止させるようにする。また、引出されたシートは緊張状態を保持し得るように構成する。気流遮蔽体の上下端間の幅は、巻取り量によって調整される。
【００１８】
【発明の効果】
請求項１の発明によれば、ブース内に設置される装置或いは塗装対象物の外形構造の変動に応じて、必要な範囲で気流速度分布を確保して給気面を有機溶剤予防の限界内で最小に調整することにより、塗装品質の安定化を図りつつ送風の省エネルギが可能となる。
【００１９】
請求項２の発明によれば、塗装対象物の搬送方向に対して両側に塗装装置が配置された塗装ブースにおいて、気流遮蔽体が両側のブースコーナ部に配置されることにより、塗装装置の外部構造の変更に対応して、所望の気流速度分布を確保して省エネルギが適宜設定される。請求項３又は請求項４の発明によれば、気流遮蔽体が２枚のプレート又は巻取り器を用いて簡単な構成で実現される。
【図面の簡単な説明】
【図１】本発明の実施の形態による塗装ブースの給気口調整構造の部分的に断面にした正面図である。
【図２】同給気口調整構造の気流遮蔽体の側面図である。
【符号の説明】
１  塗装ブース
３  簾の子床
５  塗装ロボット
６  塗装装置
８  給気口
９  車両
１０  気流遮蔽体
１１，１２  プレート
１３，２３  ヒンジ
１４，１９ｃ，１９ｄ  ボルト挿通溝
１５，１６  ボルト
【図１】
2004167366.tif 000003
【図２】
2004167366.tif 000004